(57)【要約】      （修正有）【課題】冷陰極管ランプの近傍の温度を検知する温度センサの分解能が高くない場合でも冷陰極管ランプの予熱時間を適切に設定することができる画像読取装置を提供する。【解決手段】画像読取ユニット１１０は、原稿台ガラスを介して、原稿台ガラス上に置かれた原稿に光を照射するための冷陰極管ランプ１１１を持つ。画像読み取りが終了した冷陰極管ランプ１１１の消灯後、５００［ｍｓ］周期で消灯後の経過時間とサーミスタ１１７の温度検知レベルを取得すると共に、冷陰極管ランプ１１１の点灯開始時におけるサーミスタ１１７の温度検知レベルと、サーミスタ１１７の出力の変化時点からの経過時間Ｔとに基づいて冷陰極管ランプ１１１の管壁の温度判定レベルを取得する。次いで、点灯開始時に取得した冷陰極管ランプ１１１の管壁の温度判定レベルから適切な予熱時間を設定する。【選択図】図２
2010016452.tif 000002
【特許請求の範囲】
【請求項１】
原稿に光を照射する冷陰極管ランプと、
前記原稿からの反射光を受光して原稿画像を読み取る読取手段と、
前記冷陰極管ランプの近傍の温度を所定の分解能で検知する温度検知手段と、
前記冷陰極管ランプに電圧を印加する電圧印加手段と、
前記温度検知手段により検知された前記冷陰極管ランプの近傍の温度と、前記冷陰極管ランプの消灯後の前記温度検知手段の出力の変化時点からの経過時間とに基づいて、前記電圧印加手段による前記冷陰極管ランプの予熱時間を設定する予熱時間設定手段と
を備えることを特徴とする画像読取装置。
【請求項２】
前記温度検知手段は、前記冷陰極管ランプの近傍の温度の検知を周期的に行うことを特徴とする請求項１記載の画像読取装置。
【請求項３】
前記電圧印加手段は、前記予熱時間中は、前記冷陰極管ランプに画像読み取り時における通常の印加電圧よりも高い電圧を印加することを特徴とする請求項１又は２記載の画像読取装置。
【請求項４】
前記電圧印加手段は、前記予熱時間経過後は、前記冷陰極管ランプに前記通常の印加電圧を印加することを特徴とする請求項３記載の画像読取装置。
【発明の詳細な説明】
【技術分野】
【０００１】
本発明は、画像読取装置に関し、特に、冷陰極管ランプの予熱時間を適切に設定することができる画像読取装置に関する。
【背景技術】
【０００２】
従来、画像読取装置において、読み取り原稿への光の照射には、冷陰極管ランプ、キセノン管ランプ、ＬＥＤランプ等様々な光源が用いられている。その中でも、冷陰極管ランプは、ＬＥＤランプ等に比べると比較的強い光量を得ることができ、かつ低コストであるというメリットを有し、低価格な画像読取装置では原稿照射手段として使用されることが多い。
【０００３】
図１３は、冷陰極管ランプの点灯開始からの経過時間に対する光量立ち上がり特性を示すグラフである。
【０００４】
冷陰極管ランプは、図１３に示すように、その特性として、点灯開始から原稿画像の読み取りのために必要な光量に達するまでに数十秒程度の予熱時間を必要とし、電源投入直後等、冷陰極管ランプが消灯状態から原稿画像の読み取り可能になるまでの待ち時間が長くなる。冷陰極管ランプは、図１３に示すように、予熱時間が点灯開始時の冷陰極管ランプの管壁温度に依存し、冷陰極管ランプの管壁温度が高いほど必要光量に達するまでの時間が短くなる特徴がある。
【０００５】
そのため、原稿照射手段として冷陰極管ランプを用いた画像読取装置においては、電源投入直後等のように冷陰極管ランプの消灯状態から原稿画像の読み取り動作開始までの待ち時間が長くなり、ユーザビリティの観点で大きなデメリットとなっていた。
【０００６】
そこで、従来、原稿画像の読み取りが終了した後も冷陰極管ランプを消灯せず、常に点灯状態にしておくことで、原稿画像の読み取り動作開始までの待ち時間をなくしていた。
【０００７】
また、従来、冷陰極管ランプの寿命や省エネ等の観点で冷陰極管ランプを常に点灯しない場合には、点灯開始時の冷陰極管ランプの管壁温度が高いほど必要光量に達する時間も早いという冷陰極管ランプの特性に着眼した技術がある。例えば、消灯開始時間から点灯開始までの経過時間で予熱時間を推定する技術（例えば、特許文献１参照）や、点灯開始時の冷陰極管ランプの管壁温度、具体的には、冷陰極管ランプの近傍の温度に基づいて予熱時間を推定する技術（例えば、特許文献２及び３参照）が提案されている。
【特許文献１】特開平１−２６７６３０号公報
【特許文献２】特開平１０−１０７９６１号公報
【特許文献３】特開２００５−４５３１０号公報
【発明の開示】
【発明が解決しようとする課題】
【０００８】
しかしながら、点灯開始時の冷陰極管ランプの近傍の温度に基づいて予熱時間を推定する方式では、コスト等により、冷陰極管ランプの近傍の温度を検知する温度センサの分解能が高くない場合に問題が生じる。温度センサの分解能が高くないと、各区分の温度検知レンジが広いことから各温度検知レンジの最大温度と最小温度とで推定予熱時間に開きが生じ、確実に予熱を行おうとすると温度検知レンジの最小温度に基づいて予熱時間を推定せざるを得ず、予熱時間が必要以上に長くなる可能性が高かった。
【０００９】
また、冷陰極管ランプの消灯開始時間から点灯開始までの経過時間に基づいて予熱時間を推定する方式では、冷陰極管ランプの点灯時の自己発熱の影響や、周辺環境の温度の高低が考慮されていないため、予熱時間が不足する可能性があった。
【００１０】
本発明の目的は、冷陰極管ランプの近傍の温度を検知する温度センサの分解能が高くない場合でも冷陰極管ランプの予熱時間を適切に設定することができる画像読取装置を提供することにある。
【課題を解決するための手段】
【００１１】
上記目的を達成するために、請求項１記載の画像読取装置は、原稿に光を照射する冷陰極管ランプと、前記原稿からの反射光を受光して原稿画像を読み取る読取手段と、前記冷陰極管ランプの近傍の温度を所定の分解能で検知する温度検知手段と、前記冷陰極管ランプに電圧を印加する電圧印加手段と、前記冷陰極管ランプの消灯後の経過時間と前記温度検知手段により検知された前記冷陰極管ランプの近傍の温度に基づいて、前記電圧印加手段による前記冷陰極管ランプの予熱時間を設定する予熱時間設定手段とを備えることを特徴とする。
【発明の効果】
【００１２】
本発明によれば、温度検知手段により検知された冷陰極管ランプの近傍の温度と冷陰極管ランプの消灯後の経過時間とに基づいて、電圧印加手段による冷陰極管ランプの予熱時間を設定するので、冷陰極管ランプの近傍温度を検知する温度センサの分解能が高くない場合でも冷陰極管ランプの予熱時間を適切に設定することができる。
【発明を実施するための最良の形態】
【００１３】
以下、本発明を図面を参照しながら説明する。
【００１４】
図１は、本発明の実施の形態に係る画像読取装置の外観斜視図である。
【００１５】
以下、本発明の実施の形態に係る画像読取装置の構成をその動作と併せて説明する。
【００１６】
図１において、画像読取装置１００の圧板１０１を開けると、原稿台ガラス（図示しない）を介して、原稿台ガラス上に置かれた原稿に光を照射するための冷陰極管ランプ１１１（原稿照射手段）等を持った後述する図２の画像読取ユニット（以下、「キャリッジ」と呼ぶ）１１０が露出する。
【００１７】
キャリッジ１１０は、駆動モータ１０２が回転することで、ギア１０３、搬送ベルト１０６を介して、図面の左右方向に移動する。この時、キャリッジ１１０は、シャフト１０４とガイドレール１０５によって原稿台ガラスと平行に移動することができる。
【００１８】
画像読取装置１００は、キャリッジ１１０が移動することによって、原稿台ガラス（図示しない）上にセットされた原稿の画像読み取りや、圧板１０１の上部に配置される図示しない自動原稿送り装置によって搬送された原稿の画像読み取りが可能になる。
【００１９】
図２は、図１におけるキャリッジ１１０の内部構成を模式的に示す図である。
【００２０】
図２において、読取制御基板（以下、「ＣＣＤ基板」と呼ぶ）１１４は、ＣＣＤ基板１１４に上に実装されたＣＣＤセンサ１１５（読取手段）の制御や、冷陰極管ランプ１１１の駆動電圧を生成するインバータ基板１１３の制御等を行っている。
【００２１】
冷陰極管ランプ１１１から発せられた光は、読取位置Ｒで原稿に照射される。原稿からの反射光Ｌは、反射ミラー１１２や、その他の図示しない反射ミラーで反射され、所定の光路長となり、レンズ１１６を介してＣＣＤセンサ１１５で受光される。ＣＣＤセンサ１１４には、冷陰極管ランプ１１１の近傍の温度を測定するサーミスタ１１７（温度検知手段）が実装されている。
【００２２】
サーミスタ１１７は、冷陰極管ランプ１１１の近傍の温度を３段階の温度検知レベルで検知する。具体的には、サーミスタ１１７に設けられたセンサが冷陰極管ランプ１１１の近傍の温度に応じてアナログ値を出力し、サーミスタ１１７に設けられたコンパレータが、該アナログ値に基づいて該近傍の温度が４５℃以上の温度区分（Ｂ３）、２５℃〜４５℃の温度区分（Ｂ２）、２５℃以下の温度区分（Ｂ１）のいずれの温度検知レベルにあるかを示すデジタル値を出力する（図８）。サーミスタ１１７の特性等は、図８を用いて後述する。
【００２３】
図３は、図１の画像読取装置１００の内部構成を示すブロック図である。
【００２４】
図３において、画像読取装置制御ＣＰＵ３０１は、画像読取装置１００に関する全ての制御を行っている。画像読取装置制御ＣＰＵ３０１には、プログラムを格納するＲＯＭ３０２、ワークＲＡＭ３０３、モータドライブ部３０４、後述する図６の画像処理部３０７、及び後述する図７の冷陰極管ランプ制御部３０５が接続されている。画像処理部３０７には、ＣＣＤセンサ１１５が接続されている。
【００２５】
モータドライブ部３０４は、光学系駆動モータを駆動させるためのドライバ回路である。冷陰極管ランプ制御部３０５は、ＣＣＤ基板１１４に設けられている。
【００２６】
画像読取装置制御ＣＰＵ３０１は、モータドライブ部３０４、冷陰極管ランプ制御部３０５、ＣＣＤセンサ１１５、サーミスタ１１７等を用いて画像読取装置１００の制御を行う。また、画像読取装置制御ＣＰＵ３０１は、その必要光量安定時間設定回路機能により、指定された時間だけ光量安定のための画像読み取り開始を遅延させる。
【００２７】
レンズ１１６を介してＣＣＤセンサ１１５上に結像された画像信号は、デジタル画像データに変換され、画像処理部３０７で各種の画像処理が行われる。そして、作成された読み取り画像データは、順次、コントローラＩ／Ｆ３０８を介して、画像処理用のコントローラ部４００へ送信される。
【００２８】
図４は、図３におけるコントローラ部４００の内部構成を示すブロック図である。
【００２９】
図４において、コントローラ部４００は、画像メモリ４０２と、外部Ｉ／Ｆ４０３と、操作部Ｉ／Ｆ４０４と、それらの各回路に対して制御を行うための情報をやり取りするインターフェースを持つコントローラ部制御ＣＰＵ４０１とによって構成されている。操作部Ｉ／Ｆ４０４には、操作部４０６が接続されており、この操作部４０６は、操作者による処理実行内容の入力や操作者に対する処理に関する情報及び警告等の通知を行うためのタッチパネル付き液晶表示装置を有する。コントローラ４００には、外部Ｉ／Ｆ４０３を介して、後述する図５の外部機器が接続されている。
【００３０】
図５は、図４のコントローラ部４００に接続される外部機器を説明するブロック図である。
【００３１】
外部Ｉ／Ｆ４０３は、画像情報やコード情報等を外部とやり取りするためのインターフェースである。具体的には、コントローラ部４００には、図５に示すように、図１の画像読取装置を備えるファクシミリ装置５０１、及び画像形成装置５０２と接続される。また、コントローラ部４００には、シリアルインターフェース装置５０３、及びＬＡＮインターフェース装置５０４等を接続することができる。
【００３２】
尚、上記外部機器とコントローラ部４００との画像情報及びコード情報のやり取り手続き制御については、各外部装置とコントローラ部制御ＣＰＵ４０１との相互通信により行われる。
【００３３】
図６は、図３における画像処理部３０７の内部構成を示すブロック図である。
【００３４】
図６において、画像処理部３０７は、増幅回路５０１、Ａ／Ｄ変換器５０２、補正回路５０３を有している。
【００３５】
ＣＣＤセンサ１１５からは、原稿の走査過程で、原稿の画像読み取りの１ラインごとにアナログ画像信号が出力され、それらは増幅回路６０１により増幅された後、Ａ／Ｄ変換器６０２により８ビットのデジタル画像データに変換される。
【００３６】
そして、補正回路５０３は、デジタル画像データに補正処理を行い、この補正処理が行われたデジタル画像データはコントローラ部４００へ転送され、画像メモリ４０２に書き込まれる。
【００３７】
図６の画像処理装置３０７は、以上の処理を原稿画像領域分行い、原稿の読み取り画像を形成する。
【００３８】
図７は、図３における冷陰極管ランプ制御部３０５の内部構成を示すブロック図である。
【００３９】
図７において、冷陰極管ランプ制御部３０５は、冷陰極管ランプ１１１の駆動電圧切り替えを行うために冷陰極管ランプ１１１の３つの駆動電圧を生成する冷陰極管電圧生成回路７０１ａ，７０１ｂ，７０１ｃ（電圧印加手段）を備える。具体的には、冷陰極管電圧生成回路７０１ａは、冷陰極管ランプ１１１を短時間で立ち上げるため、通常の原稿画像読み取り時における印加電圧よりも高い電圧であるオーバードライブ点灯用の駆動電圧を生成する。また、画像読取装置制御ＣＰＵ３０１は、その高電圧供給時間設定回路機能により、オーバードライブ点灯用の駆動電圧を印加する時間を設定することができ、画像読取装置制御ＣＰＵ３０１からの指示によって、指定された時間だけオーバードライブ点灯用の駆動電圧を印加する。
【００４０】
冷陰極管電圧生成回路７０１ｂは、通常の原稿画像読み取り時に印加される駆動電圧を生成する。冷陰極管電圧生成回路７０１ｃは、低解像度での原稿画像読み取り時に印加される低駆動電圧を生成する。
【００４１】
画像読取装置制御ＣＰＵ３０１は、セレクタ７０２により冷陰極管電圧生成回路７０１ａ，７０１ｂ，７０１ｃを切り替えることにより、冷陰極管ランプ１１１を駆動するインバータ基板１１３へ供給される駆動電圧を切り替える。
【００４２】
そこで、本実施の形態では、画像読み取りが終了した冷陰極管ランプ１１１の消灯後、５００［ｍｓ］間隔で周期的に消灯後の経過時間とサーミスタ１１７の温度検知レベルを取得すると共に、点灯開始時における温度検知レベルと消灯後の経過時間とに基づいて冷陰極管ランプ１１１の管壁の温度判定レベルを取得する（図８及び図９）。次いで、冷陰極管ランプ１１１の「点灯開始時の管壁温度が高いほど必要光量に達するまでの時間が短い」という特性（図１３）に基づいて、点灯開始時に取得した冷陰極管ランプ１１１の管壁の温度判定レベルから適切な予熱時間を設定する（図１０及び図１１）。消灯後の経過時間の取得方法は、具体的には、図１２を用いて後述する。
【００４３】
まず、サーミスタ１１７の温度検知レベルに基づいて冷陰極管ランプ１１１の管壁温度を予測する。
【００４４】
図８は、図７における冷陰極管ランプ１１１の消灯後の経過時間に対する管壁温度の関係を示すグラフである。
【００４５】
図８は、冷陰極管ランプ１１１の管壁温度は、点灯中は自己発熱により高いが、消灯後は時間の経過により低下して周囲温度に近づくことを示すことの他に、サーミスタ１１７の各区分の温度検知レベル（Ｂ３：４５℃以上、Ｂ２：２５℃〜４５℃、Ｂ１：２５℃以下）も図示している。本実施の形態では、サーミスタ１１７の分解能（温度検知レベルの区分数）は高くなく３分割である。
【００４６】
図８の場合、管壁温度が４５℃から３５℃に低下する経過時間は周囲温度が低いほど短く、周囲温度０℃のときは経過時間Ｔ２１、及び周囲温度２０℃のときは経過時間Ｔ２１（Ｔ２１＜Ｔ２１’）である。
【００４７】
そこで、最も厳しい使用環境（ここでは、周囲温度０℃）で求めた経過時間Ｔ２１に着目すると、管壁温度が４５℃になってから経過時間Ｔ２１以内では管壁温度は３５℃以上であると予測することができる。サーミスタ１１７は、冷陰極管ランプ１１１の消灯時に温度検知レベルが最高（図８ではＢ３）になるように設定されている。
【００４８】
本実施の形態では、この経過時間Ｔ２１を使用することで、サーミスタ１１７の温度検知レンジをさらに分割する。例えば、サーミスタ１１７の温度検知レベルがＢ３からＢ２に変化してから経過時間Ｔ２１までは冷陰極管ランプ１１１の管壁の温度判定レベルはＢ２−１とし、経過時間Ｔ２１以降からサーミスタ１１７の温度検知レベルがＢ１に変化するまでを温度判定レベルＢ２−２とする。
【００４９】
冷陰極管ランプ１１１の点灯開始時のサーミスタ１１７の温度検知レベルと、冷陰極管ランプ１１の消灯後のサーミスタ１１７の出力（レベル）の変化時点からの経過時間Ｔとに基づいて冷陰極管ランプ１１１の管壁の温度判定レベルを設定するためのルックアップテーブルをＲＯＭ３０２に予め保持しておく。図９は、温度判定レベルを設定するためのルックアップテーブルを示す。図９のルックアップテーブルによれば、冷陰極管ランプ１１１の点灯開始時のサーミスタ１１７の温度検知レベルと消灯後の経過時間Ｔとに基づいて冷陰極管ランプ１１１の管壁の温度判定レベルを設定することができる。
【００５０】
上記の例では、温度検知レベルＢ２を経過時間Ｔ２１で２分割しているが、管壁温度が４５℃から４０℃まで低下する経過時間Ｔ１１、４５℃から３５℃まで低下する経過時間Ｔ２２、…Ｔ２ｎ（Ｔ２１＜Ｔ２２＜…＜Ｔ２ｎ）を予め測定しておき、その時間情報を基にして温度検知レベルをさらに分割することも可能である。また、図示していないが、温度検知レベルＢ１も、Ｔ１２、…Ｔ１ｎ（Ｔ１１＜Ｔ１２＜…＜Ｔ１ｎ）Ｔ１１、Ｔ１２を予め計測しておくことにより、同様に分割することが可能である。
【００５１】
これにより、サーミスタ１１７の分解能（温度検知レベルの区分数）が高くなくても、冷陰極管ランプ１１１の点灯開始時のサーミスタ１１７の温度検知レベルと、冷陰極管ランプ１１の消灯後のサーミスタ１１７の出力の変化時点からの経過時間Ｔを考慮することにより、サーミスタ１１７の見かけ上の分解能を高くすることができる。
【００５２】
以下、サーミスタ１１７の分解能（温度検知レベルの分割数）が高くない場合における、冷陰極管ランプ１１１の点灯開始時のサーミスタ１１７の温度検知レベルに基づいて予熱時間を設定する方法を、サーミスタ１１７の分解能が高い場合と比較しつつ説明する。
【００５３】
図１０は、図７における冷陰極管ランプ１１１の温度検知レベルと冷陰極管ランプ１１１が必要光量Ｋに立ち上がるのに必要な時間との関係を示すグラフである。
【００５４】
図１０のグラフは、冷陰極管ランプ１１１が点灯開始後に必要光量Ｋまで立ち上がるのに必要な時間（ｓ）は、点灯開始後の冷陰極管ランプ１１１の管壁温度が低いほど長くなることを示している。
【００５５】
冷陰極管ランプ１１１が必要光量Ｋまで立ち上がるのに必要な時間（ｓ）は、冷陰極管ランプ１１１の容量や印加電圧で異なるが、図１０では、説明を容易にするために、適宜な時間を目安として記載している。
【００５６】
また、図１０において、本発明の実施の形態に係る分解能が高くないサーミスタ１１７（温度検知レンジが３分割）はサーミスタＢとして、分解能が高いもの（温度検知レンジが６分割）はサーミスタＡとして示されている。
【００５７】
図１１は、図１０のサーミスタＡ，Ｂの温度検知レベルに対する予熱時間の関係を示すルックアップテーブルの図である。
【００５８】
図１１では、予熱時間の設定値がサーミスタＡの場合、サーミスタＢの場合、経過時間Ｔを考慮したサーミスタＢの場合とに分けて示されている。本発明の実施の形態は、「経過時間Ｔを考慮したサーミスタＢ」に対応する。
【００５９】
図１１によれば、経過時間Ｔを考慮したサーミスタＢの温度検知レベル（Ｂ２−１，Ｂ２−２等）に基づいて予熱時間を設定することができる。例えば、点灯開始時の冷陰極管ランプ１１１の管壁温度が４０℃の場合、経過時間Ｔを考慮したサーミスタＢの温度検知レベル（図１０の点Ｘ）はＢ２−１となり、図１１の予熱時間設定ルックアップテーブルにより予熱時間は７［ｓ］である。
【００６０】
これに対して、経過時間Ｔを考慮しない場合は、サーミスタＢの温度検知レベルはＢ２であり、図１１の点Ｙで示すように管壁温度２５℃の可能性もあるため、図１１の予熱時間設定ルックアップテーブルより予熱時間は１０［ｓ］に設定する必要がある。この予熱時間は、本実施の形態に係る予熱時間７［ｓ］に対して３［ｓ］長い。
【００６１】
また、高分解能のサーミスタＡの場合は、温度検知レベルはＡ４であり、図１１の予熱時間設定ルックアップテーブルより予熱時間は７［ｓ］に設定される。この予熱時間は、本実施の形態に係る予熱時間と同等であり、本実施の形態に係る「経過時間Ｔを考慮したサーミスタＢ」が高分解能のサーミスタＡに相当すると言える。
【００６２】
但し、サーミスタＡの場合は、サーミスタＢよりも高分解能の出力を可能とするために、サーミスタＢよりも多くコンパレータを設ける必要があるため、コスト高となる。
【００６３】
図１２は、図３の画像読取装置１００によって実行される冷陰極管ランプ１１１の予熱時間設定処理の手順を示すフローチャートである。
【００６４】
本処理は、図３における画像読取装置制御ＣＰＵ３０１によって実行される。
【００６５】
図１２において、原稿の画像読み取り終了後の冷陰極管ランプ１１１の消灯処理として、冷陰極管ランプ１１１への印加電圧をセレクタ７０２で０［ｖ］になるように切り替え（ステップＳ１２０１）、次いで、コントローラ部４００から画像読み取り要求があるか否かを判別する（ステップＳ１２０２）。
【００６６】
ステップＳ１２０２の判別の結果、画像読み取り要求がない場合において、温度モニタリング時間（＝１［ｓ］）が経過すると（ステップＳ１２０３でＹＥＳ）、サーミスタ１１７で、冷陰極管ランプ１１１の近傍の温度を検知して、現在の温度検知レベル（Ｂ２、Ｂ１、Ｂ０のいずれか）をワークＲＡＭ３０３に保存する（ステップＳ１２０４）。
【００６７】
次に、サーミスタ１１７の今回の温度検知レベルが前回の温度検知レベルに対して変化していると（ステップＳ１２０５でＹＥＳ）、現在時間を温度検知レベルの変化開始時間ＴＬ（変化点）としてワークＲＡＭ３０３に保存して（ステップＳ１２０６）、ステップＳ１２０２に戻る。尚、温度検知レベルの変化開始時間ＴＬの初期値は−１に設定されている。また、現在時間は、十分な時間計時が可能なフリーランカウンタなどの出力を現在時間とする。
【００６８】
ステップＳ１２０２の判別の結果、画像読み取り要求があったときは、現在時間Ｔｎｏｗを保存し（ステップＳ１２０７）、次いで、変化開始時間ＴＬと現在時間Ｔｎｏｗから経過時間Ｔｐａｓｓを算出する（ステップＳ１２０８）。ここで、変化開始時間ＴＬが−１の場合は、変化していないと判断し、経過時間Ｔｐａｓｓを０と算出する。また、経過時間Ｔｐａｓｓを算出後は、ＴＬを−１に変更する。
【００６９】
続くステップＳ１２０９では、現在の温度検知レベルと経過時間Ｔｐａｓｓに基づいて、図９の温度判定レベル設定ルックアップテーブルより冷陰極管ランプ１１１の管壁の温度判定レベルを取得する。例えば、変化開始時間ＴＬ＝３０００［ｓ］、現在時間Ｔｎｏｗ＝３０４５［ｓ］、現在温度検知レベルがＢ２の場合は、経過時間Ｔｐａｓｓ＝４５［ｓ］のため、温度判定レベルはＢ２−１となる。
【００７０】
次に、ステップＳ１２０９で取得した温度判定レベルに基づいて、図１２の予熱時間設定ルックアップテーブルから冷陰極管ランプ１１１の予熱時間を設定する（ステップＳ１２１０）（設定手段）。例えば、温度判定レベルはＢ２−１の場合は１０［ｓ］となる。
【００７１】
次に、セレクタ７０２を切り替えて、設定された予熱時間中は、冷陰極管ランプ１１１に冷陰極管電圧生成回路７０１ａのオーバードライブ用の駆動電圧を印加してランプ点灯を行い（ステップＳ１２１１）、ステップＳ１２１０で設定した予熱時間経過後は（ステップＳ１２１２でＹＥＳ）、冷陰極管ランプ１１１に冷陰極管電圧生成回路７０１ｂの通常の駆動電圧によるランプ点灯で原稿画像の読み取りを行い（ステップＳ１２１３）、本処理を終了する。
【００７２】
図１２の処理によれば、冷陰極管ランプ１１１の管壁の温度判定レベルを、サーミスタ１１７の現在の温度検知レベルと変化開始時間ＴＬからの経過時間Ｔｐａｓｓとに基づいて図９の温度判定レベル設定ルックアップテーブルにより取得する（ステップＳ１２０９）ので、サーミスタ１１７の分解能が高くない場合でも、冷陰極管ランプ１１１の予熱時間を適切に設定することができる。
【００７３】
なお、本発明の実施の形態では、冷陰極管ランプ１１１の駆動電圧を切り替えを、３つの冷陰極管電圧生成回路７０１ａ，７０１ｂ，７０１ｃをセレクタ７０２で切り替える方式により行っているが、ＦＥＴをＰＷＭ駆動する方式や、ＤＡ変換器を使用する方式等によって行ってもよい。
【図面の簡単な説明】
【００７４】
【図１】本発明の実施の形態に係る画像読取装置の外観斜視図である。
【図２】図１におけるキャリッジ１１０の内部構成を模式的に示す図である。
【図３】図１の画像読取装置１００の内部構成を示すブロック図である。
【図４】図３におけるコントローラ部４００の内部構成を示すブロック図である。
【図５】図４のコントローラ部４００に接続される外部機器を説明するブロック図である。
【図６】図３における画像処理部３０７のブロック構成図である。
【図７】図３における冷陰極管ランプ制御部３０５のブロック構成図である。
【図８】図７における冷陰極管ランプ１１１の消灯後の経過時間に対する管壁温度の関係を示すグラフである。
【図９】冷陰極管ランプ１１１の点灯開始時のサーミスタ１１７の温度検知レベルと消灯後の経過時間Ｔとに基づいて温度判定レベルを設定するのに使用されるルックアップテーブルを示す図である。
【図１０】図７における冷陰極管ランプ１１１の温度検知レベルと冷陰極管ランプ１１１が必要光量Ｋに立ち上がるのに必要な時間との関係を示すグラフである。
【図１１】図１１は、図１０のサーミスタＡ，Ｂの温度検知レベルに対する予熱時間の関係を示すルックアップテーブルの図である。
【図１２】図３の画像読取装置１００によって実行される冷陰極管ランプ１１１の予熱点灯時間設定処理の手順を示すフローチャートである。データの模式図である。
【図１３】冷陰極管ランプの点灯開始からの経過時間に対する光量立ち上がり特性を示すグラフである。
【符号の説明】
【００７５】
１００  画像読取装置
１１１  冷陰極管ランプ
１１３  インバータ基板
１１４  ＣＣＤ基板
１１５  ＣＣＤセンサ
１１７  サーミスタ
３０１  画像読取装置制御ＣＰＵ
３０２  ＲＯＭ
３０３  ワークＲＡＭ
３０４  モータドライブ部
３０５  冷陰極管ランプ制御部
３０７  画像処理部
７０１ａ，７０１ｂ，７０１ｃ  冷陰極管電圧生成回路
７０２  セレクタ
【図１】
2010016452.tif 000003
【図２】
2010016452.tif 000004
【図３】
2010016452.tif 000005
【図４】
2010016452.tif 000006
【図５】
2010016452.tif 000007
【図６】
2010016452.tif 000008
【図７】
2010016452.tif 000009
【図８】
2010016452.tif 000010
【図９】
2010016452.tif 000011
【図１０】
2010016452.tif 000012
【図１１】
2010016452.tif 000013
【図１２】
2010016452.tif 000014
【図１３】
2010016452.tif 000015